(57)【要約】【課題】フレキシブルフラットケーブルの斜め差しを検出し、斜め差しした状態での使用を防止できるようにする。【解決手段】周辺温度に応じた温度データを出力するサーミスタ１１と、少なくとも上記温度データの伝送線を備え、当該温度データの伝送線の両隣が抵抗成分を有する伝送線もしくはグランドに接続された伝送線になっているフレキシブルフラットケーブルＦＦＣと、フレキシブルフラットケーブルＦＦＣの装着状態の検査の開始指示を操作者から受付けるとスイッチ回路２２を制御してサーミスタ１１に対する選択的な給電を開始させ、この給電によってサーミスタ１１の出力した温度データをフレキシブルフラットケーブルＦＦＣを介して取得し、取得した温度データをインターフェース２４を介してコンピューター２００に出力する光ピックアップ制御部２０と、を光ディスク装置１００に備えさせる。【選択図】図１
2012038390.tif 000002
【特許請求の範囲】
【請求項１】
フレキシブルフラットケーブルによる電気的な接続を有する電気電子機器において、
周辺温度に応じた温度データを出力する温度検出部と、
少なくとも上記温度データの伝送線を備え、当該温度データの伝送線の両隣が抵抗成分を有する伝送線もしくはグランドに接続された伝送線になっているフレキシブルフラットケーブルと、
上記フレキシブルフラットケーブルの装着状態の検査の開始指示を操作者から受付ける受付部と、
上記温度検出部に対する選択的な給電が可能な給電部と、
上記受付部が上記開始指示を受付けると上記温度検出部に対する選択的な給電を上記給電部に行わせ、上記フレキシブルフラットケーブルを介して取得した上記温度検出部の出力した温度データに基く出力を所定の出力先に対して実行する制御部と、
を備えることを特徴とする電気電子機器。
【請求項２】
上記温度検出部はサーミスタである請求項１に記載の電気電子機器。
【請求項３】
上記所定の出力先は上記電気電子機器の備える所定の表示部であり、
上記制御部は上記温度検出部の出力した温度データに基く表示出力を上記所定の表示部に対して実行する請求項１または請求項２に記載の電気電子機器。
【請求項４】
上記所定の出力先は所定のインターフェースを介して接続された外部機器であり、
上記制御部は上記温度検出部の出力した温度データに基くデータ出力を上記外部機器に対して実行する請求項１または請求項２に記載の電気電子機器。
【請求項５】
上記制御部は、上記温度データに基いて上記フレキシブルフラットケーブルの装着状態を判断して上記フレキシブルフラットケーブルの斜め差しの有無を上記所定の出力先に出力する請求項１〜請求項４のいずれか１項に記載の電気電子機器。
【請求項６】
上記電気電子機器は光ピックアップと該光ピックアップの制御回路を形成された制御基板とを備える光ディスク装置であり、
上記温度検出部は上記光ピックアップに含まれているレーザーダイオードの周辺温度に応じた温度データを出力するサーミスタであり、
上記制御部は上記制御回路により構成され、
上記フレキシブルフラットケーブルは上記光ピックアップと上記制御基板とを接続しており、
上記制御基板上には外部機器と接続可能なインターフェースが搭載され、
上記制御部は上記フレキシブルフラットケーブルを介して取得した上記温度検出部の出力した温度データに基く出力を上記インターフェースに接続された外部機器に対して実行する請求項１〜請求項５のいずれか１項に記載の電気電子機器。
【請求項７】
フレキシブルフラットケーブルによる電気的な接続を有する光ディスク装置と、該光ディスク装置を検査するコンピューターとにより構成される検査システムにおいて、
上記光ディスク装置は、光ピックアップに含まれているレーザーダイオードの周辺温度に応じた温度データを出力するサーミスタと、上記光ピックアップの制御回路を形成された制御基板と、上記光ピックアップと上記制御基板とを接続するフレキシブルフラットケーブルと、上記制御基板上に搭載されて上記コンピューターと接続可能なインターフェースと、上記サーミスタに対する選択的な給電が可能な給電部と、を備え、
上記フレキシブルフラットケーブルは、少なくとも上記温度データの伝送線を備え、当該温度データの伝送線の両隣が抵抗成分を有する伝送線もしくはグランドに接続された伝送線になっており、
上記コンピューターは、上記フレキシブルフラットケーブルの装着状態の検査を含む各種検査の開始指示を操作者から受付ける受付部と、各種の表示を行う表示部とを備え、
上記コンピューターは、上記受付部が上記開始指示を受付けると、上記インターフェースを通じて上記制御回路を制御することにより上記サーミスタに対する選択的な給電を上記給電部に行わせ、
上記制御回路は、上記給電によって上記サーミスタの出力した温度データを上記フレキシブルフラットケーブルを介して取得し、取得した温度データを上記インターフェースに接続された上記コンピューターへ出力し、
上記コンピューターは、上記温度データに基いて上記フレキシブルフラットケーブルの装着状態を判断して上記フレキシブルフラットケーブルの斜め差しの有無を上記表示部に行い、上記フレキシブルフラットケーブルが斜め差しされている場合はその後の検査を停止することを特徴とする検査システム。
【発明の詳細な説明】
【技術分野】
【０００１】
本発明は、電気電子機器および検査システムに関し、特にフレキシブルフラットケーブルによる電気的な接続を有する電気電子機器、およびフレキシブルフラットケーブルによる電気的な接続を有する光ディスク装置と該光ディスク装置を検査するコンピューターとにより構成される検査システムに関する。
【背景技術】
【０００２】
電子機器や家電製品には多くの配線材（電線）が使用されており、近年では、小型、高密度、高性能、軽量等の特徴を持つフレキシブルフラットケーブルがよく使用されている（下記特許文献１〜５参照）。
【先行技術文献】
【特許文献】
【０００３】
【特許文献１】特開２００８−８４４５２号公報
【特許文献２】特開２００９−１０４６９６号公報
【特許文献３】特開２００５−８５２９９号公報
【特許文献４】特開平１１−６９９６号公報
【特許文献５】特開２００４−３６１７３５号公報
【発明の概要】
【発明が解決しようとする課題】
【０００４】
上述したフレキシブルフラットケーブルを装着する際は、端部を所定のソケットに正確に挿入・固定する必要がある。フレキシブルフラットケーブルの端部は、小型・高密度であり、正確に挿入されなければ端部とソケット端子とが正しい対応関係で接触しないためである。仮にフレキシブルフラットケーブルをソケットに斜め差した状態で機器を使用すると、機器や計測基板を破壊したり電気部品を劣化させたり、異常動作、異常表示、等の原因になったりする。しかしながら、これまでは、フレキシブルフラットケーブルの斜め差しを検出する技術は知られていなかった。
【０００５】
本発明は以上の課題に鑑みてなされたものであり、フレキシブルフラットケーブルによる電気的な接続を有する電気電子機器において、フレキシブルフラットケーブルの斜め差しを検出し、斜め差しした状態での使用を防止するための技術を提供することを目的とする。
【課題を解決するための手段】
【０００６】
上記課題を解決するために、本発明は、フレキシブルフラットケーブルによる電気的な接続を有する電気電子機器において、周辺温度に応じた温度データを出力する温度検出部と、少なくとも上記温度データの伝送線を備え、当該温度データの伝送線の両隣が抵抗成分を有する伝送線もしくはグランドに接続された伝送線になっているフレキシブルフラットケーブルと、上記フレキシブルフラットケーブルの装着状態の検査の開始指示を操作者から受付ける受付部と、上記温度検出部に対する選択的な給電が可能な給電部と、上記受付部が上記開始指示を受付けると上記温度検出部に対する選択的な給電を上記給電部に行わせ、上記フレキシブルフラットケーブルを介して取得した上記温度検出部の出力した温度データに基く出力を所定の出力先に対して実行する制御部と、を備える構成としてある。
【０００７】
上記構成において、温度検出部は、周辺温度を検出して当該周辺温度に応じて生成した温度データを出力する。この温度データは、フレキシブルフラットケーブルの伝送線を経由して制御部へ入力される。ここで、温度データの伝送線の両隣の伝送線は、抵抗成分を有する伝送線もしくはグランドに接続された伝送線である（両隣とも抵抗成分を有する伝送線、両隣ともグランドに接続された伝送線、一方が抵抗成分を有する伝送線で他方がグランドに接続された伝送線、の各場合を含む）。そのため、フレキシブルフラットケーブルが斜め差しされて温度データの伝送線と両隣の伝送線の少なくとも一方と短絡されると、制御部に入力される温度データが異常なものとなる。むろん、温度データに限らず、フレキシブルフラットケーブルの他の伝送線で伝送される電気信号も短絡によって異常なものとなる。
【０００８】
そこで、制御部は、受付部において上記フレキシブルフラットケーブルの装着状態の検査の開始指示を操作者から受付けたときに、給電部を制御して温度検出部のみに選択的に給電する。そして、フレキシブルフラットケーブルを経由して取得した温度データを取得して当該温度データに基く出力を所定の出力先に対して実行する。作業者は、このようにして行われた出力を確認すれば、温度データが異常であるか否かを判定することが可能であり、ひいてはフレキシブルフラットケーブルが斜め差しにより短絡されているか否かを判定することが可能となる。よって、フレキシブルフラットケーブルの斜め差しを検出し、斜め差しした状態での使用を防止することができるようになる。
【０００９】
本発明の選択的な一態様として、上記温度検出部はサーミスタである構成としてある。上述した温度検出部は、熱電対や市販の温度計測器等の様々な手段で実現することが出来るが、サーミスタで実現することもできる。温度検出部をサーミスタで実現したときは、温度変化に応じて変化するサーミスタの抵抗値に相応した温度データがフレキシブルフラットケーブルを介して制御部へ入力すると簡便である。すなわち、サーミスタの抵抗値に応じてサーミスタに発生する電圧値をフレキシブルフラットケーブルを介して制御部に入力する。このようにサーミスタを温度検出部として利用することにより、簡易な回路構成で、本発明を実現できるようになる。
【００１０】
本発明の選択的な一態様として、上記所定の出力先は所定の表示部であり、上記制御部は上記温度検出部の出力した温度データに基く表示出力を上記所定の表示部に対して実行する構成としてある。すなわち、温度データに基づく表示を行うことにより、操作者はこの表示を視認して一目瞭然に温度の異常を把握することができる。
【００１１】
本発明の選択的な一態様として、上記所定の出力先は所定のインターフェースを介して接続された外部機器であり、上記制御部は上記温度検出部の出力した温度データに基くデータ出力を上記外部機器に対して実行する構成としてある。すなわち、温度データに基づくデータ出力を外部機器に対して実行することにより、外部機器に温度に関するログを残して各種の統計処理に利用したり、出力されたデータをより見やすい形に変換して表示・印刷等の出力に利用したりすることができる。
【００１２】
本発明の選択的な一態様として、上記制御部は、上記温度データに基いて上記フレキシブルフラットケーブルの装着状態を判断して上記フレキシブルフラットケーブルの斜め差しの有無を上記所定の出力先に出力する構成としてある。すなわち、温度データそのものを出力するのではなく、フレキシブルフラットケーブルが正しく装着されているか斜め差しされているかを出力する。よって、操作者は、一目瞭然にフレキシブルフラットケーブルの装着状態を把握することが出来る。
【００１３】
本発明の選択的な一態様として、上記電気電子機器は光ピックアップと該光ピックアップの制御回路を形成された制御基板とを備える光ディスク装置であり、上記温度検出部は上記光ピックアップに含まれているレーザーダイオードの周辺温度に応じた温度データを出力するサーミスタであり、上記制御部は上記制御回路により構成され、上記フレキシブルフラットケーブルは上記光ピックアップと上記制御基板とを接続しており、上記制御基板上には外部機器と接続可能なインターフェースが搭載され、上記制御部は上記フレキシブルフラットケーブルを介して取得した上記温度検出部の出力した温度データに基く出力を上記インターフェースに接続された外部機器に対して実行する構成としてある。当該構成によれば、光ディスク装置においてフレキシブルフラットケーブルの斜め差しを検出し、斜め差しした状態での使用を防止することができるようになる。
【００１４】
本発明の他の一態様として、フレキシブルフラットケーブルによる電気的な接続を有する光ディスク装置と、該光ディスク装置を検査するコンピューターとにより構成される検査システムにおいて、上記光ディスク装置は、光ピックアップに含まれているレーザーダイオードの周辺温度に応じた温度データを出力するサーミスタと、上記光ピックアップの制御回路を形成された制御基板と、上記光ピックアップと上記制御基板とを接続するフレキシブルフラットケーブルと、上記制御基板上に搭載されて上記コンピューターと接続可能なインターフェースと、上記サーミスタに対する選択的な給電が可能な給電部と、を備え、上記フレキシブルフラットケーブルは、少なくとも上記温度データの伝送線を備え、当該温度データの伝送線の両隣が抵抗成分を有する伝送線もしくはグランドに接続された伝送線になっており、上記コンピューターは、上記フレキシブルフラットケーブルの装着状態の検査を含む各種検査の開始指示を操作者から受付ける受付部と、各種の表示を行う表示部とを備え、上記コンピューターは、上記受付部が上記検査開始の指示を受付けると、上記インターフェースを通じて上記制御回路を制御することにより上記サーミスタに対する選択的な給電を上記給電部に行わせ、上記制御回路は、上記給電によって上記温度検出部の出力した温度データを上記フレキシブルフラットケーブルを介して取得し、取得した温度データを上記インターフェースに接続された上記コンピューターへ出力し、上記コンピューターは、上記温度データが所定の温度範囲にあるか否かの表示を上記表示部に行い、上記所定の温度範囲外にあるときはその後の検査を停止する構成としてある。このように、システムとして構成された場合にも、上述した各構成と同様の作用効果を奏する。
【発明の効果】
【００１５】
以上説明したように本発明の請求項１によれば、フレキシブルフラットケーブルの斜め差しを検出し、斜め差しした状態での使用を防止することが可能な電気電子機器を提供することができる。
また請求項２にかかる発明によれば、簡易な回路構成で本発明を実現できる。
また請求項３にかかる発明によれば、電気電子機器の備える表示部に温度データを表示出力し、電子電気機器単体で操作者が温度データを視認可能となる。
また請求項４にかかる発明によれば、外部機器に温度データをデータ出力し、外部機器に温度データを表示したり、外部機器で温度データを利用した処理を実行したりできるようになる。
また請求項５にかかる発明によれば、フレキシブルフラットケーブルが斜め差しされたときに発生する異常な温度データをであるか否かを一目で分かるように出力することができる。
また請求項６、７のような、より具体的な構成において、上述した請求項１〜請求項６の各発明と同様の作用を奏することはいうまでもない。
【図面の簡単な説明】
【００１６】
【図１】電気電子機器の構成を示すブロック図である。
【図２】フレキシブルフラットケーブルの装着状態の説明図である。
【図３】フレキシブルフラットケーブルの各装着状態に応じた温度データを出力する回路の等価回路を示す図である。
【図４】フレキシブルフラットケーブルＦＦＣの斜め差し検査作業の流れを示すフローチャートである。
【発明を実施するための形態】
【００１７】
以下、下記の順序に従って本発明の実施形態を説明する。
（１）光ディスク装置の構成：
（２）検査作業：
（３）まとめと変形例：
【００１８】
（１）光ディスク装置の構成： 
図１は、本発明の一実施形態にかかる光ディスク装置１００の構成を示すブロック図である。本実施形態において、光ディスク装置１００は電気電子機器を構成する。光ディスク装置１００は、光ピックアップ装置１０と制御基板Ｐとを備え、光ピックアップ装置１０と制御基板ＰとはフレキシブルフラットケーブルＦＦＣによって接続されている。光ピックアップ装置１０は、光記録媒体に光ビームを照射するレーザーダイオード等の半導体レーザー装置と、半導体レーザー装置の照射光量を検知するフォトダイオード等の受光部とを備える。
【００１９】
制御基板Ｐには、光ピックアップ装置１０の制御回路が形成されており、この制御回路が光ピックアップ制御部２０を構成する。制御基板Ｐには電源回路３０から電源電圧が供給されており、光ピックアップ装置１０には制御基板ＰやフレキシブルフラットケーブルＦＦＣを経由して電源回路３０から電源電圧が供給されている。
【００２０】
光ピックアップ装置１０は、レーザーダイオードやフォトダイオード等のように温度依存性のある素子の近傍にサーミスタ１１（温度検出部）を備えている。一方、制御基板Ｐには抵抗Ｒ１が搭載されている。より具体的には、サーミスタ１１の端子Ａはグランドに接続され、サーミスタ１１の端子ＢはフレキシブルフラットケーブルＦＦＣを経由して抵抗Ｒ１の端子Ｃに接続され、抵抗Ｒ１の端子Ｄは電源回路３０の３．３Ｖ（定電圧）の電源供給ラインに接続されている。
【００２１】
すなわち、サーミスタ１１と抵抗Ｒ１は分割抵抗を構成している。このサーミスタ１１は周辺温度に応じて抵抗値が変化するため、抵抗Ｒ１とサーミスタ１１とで構成された分割抵抗の分割点における電圧値はサーミスタ１１の抵抗値に応じた値となる。光ピックアップ制御部２０は、この分割点の電圧値を取得して、温度データとして利用する。
【００２２】
また、サーミスタ１１と抵抗Ｒ１は、フレキシブルフラットケーブルＦＦＣの伝送線を経由して電気的に接続されている。従って、フレキシブルフラットケーブルＦＦＣが斜め差しされると、制御基板Ｐの側における上記分割点の電圧値は、通常ではありえない異常な値になる。従って、上記分割点の電圧値が正常な範囲内にあるか否かに基いて、フレキシブルフラットケーブルＦＦＣが斜め差しされているか否かを判断することができるといえる。なお、ここでいう斜め差しとは、フレキシブルフラットケーブルＦＦＣの端子が、ソケットに挿入されたときに本来接触すべき端子以外の端子（例えば隣接する端子）と接触している状態を言う。
【００２３】
図２は、フレキシブルフラットケーブルの装着状態の説明図である。本実施形態では、制御基板Ｐと光ピックアップ装置１０の少なくとも一方にソケットが設けられており、フレキシブルフラットケーブルＦＦＣは少なくとも一方の端子がソケットに挿入固定される。このとき、ソケットの接続端子とフレキシブルフラットケーブルＦＦＣ先端の被膜剥離部分とが正しい対応関係で１対１で接触すれば、制御基板Ｐと光ピックアップ装置１０との間で適切に制御信号、出力信号、電源電圧の伝送を行える。
【００２４】
しかしながら、図２に示すように、フレキシブルフラットケーブルＦＦＣが斜めに装着されると（以下「斜め差し」と呼ぶ）、フレキシブルフラットケーブルＦＦＣを構成する各伝送線の先端がソケットの複数の接続端子と接触するため、隣接伝送線との間に短絡が発生する。短絡が発生すると、光ディスク装置１００の電気電子部品の劣化や破壊の原因となったり、光ディスク装置１００が異常動作したり異常なデータを出力したりする。ここで、隣接伝送線と短絡が発生したときの回路状態について図３を参照して説明する。
【００２５】
図３はフレキシブルフラットケーブルの各装着状態に応じた温度データを出力する回路の等価回路を示す図である。図３（ａ）はフレキシブルフラットケーブルＦＦＣが正しくコネクタに装着されたときの等価回路である。同図に示す回路では、サーミスタ１１と抵抗Ｒ１とが、適切に分割抵抗を構成している。
【００２６】
図３（ｂ）はフレキシブルフラットケーブルＦＦＣの斜めざしにより温度データの伝送線が抵抗成分を有する伝送線短絡された場合の等価回路である。図３（ｂ）の場合、サーミスタ１１による抵抗成分と並列に隣接伝送線の抵抗成分が配置された回路と等価になる。すなわち、分割点にはサーミスタ１１の抵抗が上昇した場合と同様の電圧が発生する。なお、この電圧が温度上昇を示すか温度下降を示すかは、サーミスタ１１がＮＴＣ（negative temperature coefficient）であるかＰＴＣ（positive temperature coefficient）であるかによって異なる。いずれにしても光ピックアップ制御部２０は、サーミスタ１１の抵抗値の変動範囲の上限もしくは下限を超えた温度を示す温度データを入力されることになる。
【００２７】
図３（ｃ）はフレキシブルフラットケーブルＦＦＣの斜めざしにより温度データの伝送線がグランド線に接続されている伝送線に短絡された場合の等価回路である。図３（ｃ）の場合、サーミスタ１１による抵抗成分と並列にグランドへ短絡された回路と等価になる。すなわち、分割点にはグランド電位が発生する。この場合も、光ピックアップ制御部２０は、サーミスタ１１の抵抗値の変動範囲の上限もしくは下限を超えた温度を示す温度データを入力されることになる。
【００２８】
以上のように、フレキシブルフラットケーブルＦＦＣの温度データの伝送線の隣が抵抗成分を有する伝送線もしくはグランドに接続された伝送線になっている場合は、フレキシブルフラットケーブルＦＦＣが斜め差しされると、光ピックアップ制御部２０には異常な温度データが入力されることがわかる。
【００２９】
このような特性を利用すべく、フレキシブルフラットケーブルＦＦＣの温度データ伝送線の両隣には、抵抗成分を有する伝送線もしくはグランドに接続された伝送線のいずれかを配置してある。従って、本実施形態では、は光ピックアップ制御部２０から温度データを入力されるコンピューター２００は、異常な温度データと正常な温度データとを区別することにより、フレキシブルフラットケーブルが正しく装着されているか斜め差しされているかを判別することが出来る。また、サーミスタ１１の出力する温度データを、後述のようにコンピューター２００に出力したり、光ディスク装置の表示部に出力したりすることにより、フレキシブルフラットケーブルの装着状態を操作者に把握させることも出来る。
【００３０】
以上説明した構成に加えて光ディスク装置は、以下の構成を備えている。まず、制御基板Ｐには、抵抗Ｒ１の端子Ｄに対する上述した３．３Ｖのオンオフを切替え可能なスイッチ回路２２が形成されている。また、制御基板Ｐには、光ディスク装置１００の各部に対する電源電圧の供給のオンオフを切替え可能なスイッチ回路（不図示）も形成されている。光ピックアップ制御部２０は、スイッチ回路２２を選択的に切替え制御することにより、上述した３．３Ｖを抵抗Ｒ１の端子Ｄに対して選択的に供給させることができる。すなわち、光ピックアップ制御部２０は、サーミスタ１１以外の各部を動作させることなく、サーミスタ１１に温度データを出力させることができる。
【００３１】
また、制御基板Ｐは、外部機器であるパーソナルコンピューター等と接続ケーブルを介して接続可能なインターフェース２４を備えている。コンピューター２００も同様のインターフェース２１０を備えており、本実施形態では、インターフェース２４とインターフェース２１０とが接続される。コンピューター２００はこれらインターフェースを介して光ピックアップ制御部２０と通信可能となる。コンピューター２００は、さらに、操作者の操作入力を受付けるための操作部２２０と、各種情報を表示するためのディスプレイ２３０とを備えており、操作者は操作部２２０を介して所定の操作入力を行うことにより光ピックアップ制御部２０を制御し、さらには光ディスク装置１００全体を制御することができる。また、コンピューター２００は、ディスプレイ２３０に通信に関する各種の情報を表示することにより、操作者は通信により取得した情報を視認できるように提示する。すなわち、本実施形態では光ピックアップ制御部２０とコンピューター２００とが制御部を構成することになる。
【００３２】
その他、光ディスク装置１００は、光ピックアップ装置１０の構成として、光記録媒体を回転駆動するスピンドルモータ、光ピックアップ装置を光記録媒体の記録面に沿ってスライド移動させるスライドモータ、光ピックアップ装置のフォーカスやトラッキングを調整するフォーカスコイルやトラッキングコイル、等の駆動系Ｄｒｖを備えており、これらの駆動ドライバを備えている。この駆動ドライバーは光ピックアップ制御部２０の制御に従って、各モータを駆動する。
【００３３】
（２）検査作業： 
図４は、フレキシブルフラットケーブルの斜め差し検査作業の流れを示すフローチャートである。本実施形態にかかる検査作業は、上述した光ディスク装置１００と、コンピューター２００とで構成される検査システムにおいて実行される。
【００３４】
また、本実施形態にかかる光ディスク装置１００の斜め差し検査作業は、製品組み立て後に行われる駆動系の調整・評価作業のシーケンスの最初に行うようにしてある。一般に、電気電子機器の製造ラインでは製品組み立ての前後もしくは最中に各部に対する通電・通信・制御のテストを行う調整・評価作業が行われる。この作業の最初に斜め差し検査作業を行うことにより、調整・評価作業で光ディスク装置１００の各部を実際に動作させる前に、フレキシブルフラットケーブルＦＦＣの装着状態を修正できる。むろん、斜め差し検査作業は、単独で行ったり、他の作業の一環として行ったり、製品の修理作業において行ったりしてもよい。
【００３５】
図４に示す斜め差し検査作業においては、まず、作業者がフレキシブルフラットケーブルを所定のソケットに装着する（Ｓ１００）。そして、作業者は電源回路３０のＡＣインレットを電源コネクタに接続し、光ディスク装置１００とコンピューター２００とを接続ケーブルで接続する。これにより、光ディスク装置１００の光ピックアップ制御部２０が動作可能な状態となり、また、光ディスク装置１００はインターフェース２４を介してコンピューター２００の制御に応じて動作可能な状態となる。
【００３６】
次に、作業者は、コンピューター２００の操作部に所定の操作を行って検査プログラムを開始させる（Ｓ１１０）。この検査プログラムは、光ディスク装置１００を調整・評価するためのプログラムであり、斜め差し検査でフレキシブルフラットケーブルＦＦＣの正常な装着を確認した後、光ディスク装置１００の調整や評価を実行するようになっている。なお、本実施形態においては所定の走査を受付けるコンピューター２００の操作部２２０が受付部を構成する。
【００３７】
コンピューター２００は、上記所定の操作を受付けて検査プログラムを開始すると（Ｓ２００）、光ピックアップ制御部２０と通信を行って、サーミスタ１１に対する電源供給の開始を指示する（Ｓ２１０）。この指示を入力されると、光ピックアップ制御部２０は、スイッチ回路２２を切替えることによりサーミスタ１１に対する定電圧の供給を開始させる（Ｓ３００）。すると、抵抗Ｒ１に３．３Ｖが印加され、サーミスタ１１と抵抗Ｒ１で構成される分割抵抗に電圧が加わり、分割抵抗の分割点に電圧が発生する。すなわち、温度データの出力が開始される。これらスイッチ回路２２や給電元の電源回路３０が、本実施形態において給電部を構成する。
【００３８】
次に、コンピューター２００は、温度データをコンピューター２００へ出力するように光ピックアップ制御部２０に指示する（Ｓ２２０）。すると、光ピックアップ制御部２０は、温度データを取得し（Ｓ３１０）、コンピューター２００にデータ出力する（Ｓ３２０）。このように、本実施形態ではコンピューター２００が温度データの出力先となる。
【００３９】
コンピューター２００では、光ピックアップ制御部２０の出力する温度データに基いて、温度が正常な変動範囲内か否かを判断する（Ｓ２３０）。温度データが正常な変動範囲内であると判断すると、コンピューター２００はフレキシブルフラットケーブルＦＦＣが斜め差しされていないと判断し（Ｓ２３０：Ｙｅｓ）、光ディスク装置１００に対して続く評価・調整を実行する。一方、温度データが正常な変動範囲外であると判断すると、コンピューター２００はフレキシブルフラットケーブルＦＦＣが斜め差しされていると判断する（Ｓ２３０：Ｎｏ）。
【００４０】
なお、上述した変動範囲は、正常な温度変動の上限を示す上閾値と正常な温度変動の下限を示す下閾値とで表すことができる。コンピューター２００は、これら上閾値と下閾値とを記憶した記憶媒体を備えている。これら下閾値と上閾値は、通常の室温において光ピックアップ装置１０の温度が変動しうる範囲を示すものであり、例えば下閾値を１０°Ｃに対応させたものとし、上閾値を４５°Ｃに対応させたもの等とすることができる。
【００４１】
フレキシブルフラットケーブルＦＦＣの斜め差しを検出すると、コンピューター２００は、ディスプレイ２３０にその旨を表示出力し（Ｓ２４０）、検査プログラムを終了する。作業者は、検査プログラムを開始した後はコンピューター２００のディスプレイ２３０を適宜確認しており、ディスプレイ２３０にその旨が表示されると、フレキシブルフラットケーブルＦＦＣが斜め差しされていることを認識できる。このように本実施形態では、フレキシブルフラットケーブルＦＦＣの斜め差しの有無を表示しているため、作業者は斜め差しの有無を容易に判断できる。
【００４２】
斜め差しを認識すると、作業者は、光ディスク装置１００の電源をオフにして、フレキシブルフラットケーブルＦＦＣの装着状態を確認し、フレキシブルフラットケーブルＦＦＣを装着しなおす。そして、再びステップＳ１００以降の作業を行うことによりコンピューター２００に検査プログラムを開始させ、フレキシブルフラットケーブルＦＦＣが正常に装着されたことを確認できるまで、フレキシブルフラットケーブルの装着状態の修正と検査作業とを繰り返し実行する。従って、光ディスク装置１００の全体に通電し動作させる調整・評価作業を行う前に、フレキシブルフラットケーブルＦＦＣの装着状態が確実に正常になる。その結果、光ディスク装置１００の部品劣化・破壊、異常動作・異常な表示などを未然に防止することができる。
【００４３】
（３）まとめと変形例： 
以上説明した実施形態においては、周辺温度に応じた温度データを出力するサーミスタ１１と、少なくとも上記温度データの伝送線を備え、当該温度データの伝送線の両隣が抵抗成分を有する伝送線もしくはグランドに接続された伝送線になっているフレキシブルフラットケーブルＦＦＣと、フレキシブルフラットケーブルＦＦＣの装着状態の検査の開始指示を操作者から受付けるとスイッチ回路２２を制御してサーミスタ１１に対する選択的な給電を開始させ、この給電によってサーミスタ１１の出力した温度データをフレキシブルフラットケーブルＦＦＣを介して取得し、取得した温度データをインターフェース２４を介してコンピューター２００に出力する光ピックアップ制御部２０と、を光ディスク装置１００に備えさせている。よって、フレキシブルフラットケーブルの斜め差しを検出し、斜め差しした状態での使用を防止することができるようになる。
【００４４】
なお、上述した実施形態では温度検出部としてサーミスタを利用する場合を例にとって説明したが、熱電対、熱電対を利用して測定した温度データを上記フレキシブルフラットケーブルＦＦＣを介して出力する温度計、等を用いてもよい。光ピックアップ制御部２０がフレキシブルフラットケーブルＦＦＣを介して温度データを取得する限り、どのような温度検出部であっても、フレキシブルフラットケーブルＦＦＣが斜め差しされると光ピックアップ制御部２０の取得する温度データは異常な値を示すからである。すなわち、正常な温度変動範囲の温度データであるか否かを判断すれば、サーミスタを用いた場合と同様の作用効果を奏する。
【００４５】
また、上述した実施形態では、外部のコンピューター２００が光ディスク装置１００を制御して検査作業を実行する例について説明したが、上述した検査プログラムを光ディスク装置１００内部の光ピックアップ制御部２０が実行するようにしてもよい。この場合、作業者がコンピューター２００の操作部に対して行う所定の操作は光ディスク装置１００の操作部に対して行われ、温度データは電気電子機器の備える表示部に対して表示出力される。従って、作業者は光ディスク装置１００の備える表示部を適宜確認することになる。むろん、コンピューター２００と光ディスク装置１００との間の通信も発生しない。なお、この変形例においては、光ピックアップ制御部２０が制御部を構成することになる。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４７】
１０…光ピックアップ装置、１１…サーミスタ、２０…光ピックアップ制御部、２２…スイッチ回路、２４…インターフェー、３０…電源回路、１００…光ディスク装置、２００…コンピューター、２１０…インターフェース、２２０…操作部、２３０…ディスプレイ、Ａ…端子、Ｂ…端子、Ｃ…端子、Ｄ…端子、Ｄｒｖ…駆動系、ＦＦＣ…フレキシブルフラットケーブル、Ｐ…制御基板、Ｒ１…抵抗
【図１】
2012038390.tif 000003
【図２】
2012038390.tif 000004
【図３】
2012038390.tif 000005
【図４】
2012038390.tif 000006